(57)【要約】【課題】  簡単な構造で正確な温度制御ができる温石ベッド、また、今まで用いられなかった特殊な鉱石を使ってより健康効果の高い温石ベッドを提供する。【解決手段】  底面が平坦な凹部を有する金属製鉱石受１をベッド架台５上に設置し、該金属製鉱石受１の底面裏側に当接させて平面ヒータ２を設け、該金属製鉱石受１と平面ヒータ２の下側を覆うように断熱材４を設け、前記金属製鉱石受１の凹部に鉱石６を充填した。さらに、前記鉱石６として、愛知７０８号鉱山から産出された特殊な石英斑岩を用いた。鉱石６の表面にマット１０を敷き、平面ヒータ２により金属製鉱石受１及び鉱石６を加熱した状態で、その上に身体を横たえる。【選択図】        図１
2006296831.tif 000002
【特許請求の範囲】
【請求項１】
底面が平坦な凹部を有する金属製鉱石受をベッド架台上に設置し、該金属製鉱石受の底面裏側に当接させて平面状の電熱ヒータ設け、該金属製鉱石受と電熱ヒータの下側を覆うように断熱材を設け、前記金属製鉱石受の凹部に鉱石を充填したことを特徴とする温石ベッド。
【請求項２】
前記鉱石として、愛知７０８号鉱山から産出された石英斑岩（７０８号鉱石）を用いたことを特徴とする請求項１記載の温石ベッド。
【発明の詳細な説明】
【技術分野】
【０００１】
本発明は、小石程度の多数の鉱石を敷き詰めた状態で下から加熱し、その上に身体を横たえるようにした温石ベッドに関するものである。
【背景技術】
【０００２】
近年、細かく砕いたトルマリン鉱石や、貝化石を粉砕して焼結したセラミックボール等をベッド上に敷き詰めた状態で下から加熱し、その上に身体を横たえて腰痛，関節痛，肩こり等を緩和するようにした温石ベッドがいくつか提案されている。それらは、加熱された鉱石等から放射される遠赤外線やマイナスイオン等の作用で所定の効果が得られるとされている。
【０００３】
従来の温石ベッドでは、例えば、ベッド状の基台の上に断熱層を設け、その上に蓄熱体となるコンクリート層を設け、そのコンクリート層の上面に、焼結したセラミックボールや鉱石を敷き詰める。そして、前記コンクリート層の内部に、発熱媒体を循環させるためのパイプを埋設し、そのパイプに、シーズヒータを有する加熱装置で加熱した発熱媒体を循環させることによりコンクリート層を加熱し、その上のセラミックボールや鉱石を加熱して遠赤外線を放射させる。
【０００４】
人は、敷き詰められたセラミックボールや鉱石の上に身体を横たえ、セラミックボールや鉱石から放射される遠赤外線を受け、身体の内部から温め、血管を拡げて血行を促進し、腰痛，関節痛，肩こり等を緩和させる。
【０００５】
なお、このような温石ベッドに関連する従来の文献としては次のようなものがある。
【特許文献１】特開２００１−７０４６３号公報
【特許文献２】特開２００４−１３００４７号公報
【発明の開示】
【発明が解決しようとする課題】
【０００６】
しかしながら、上記従来の温石ベッドには、内部にパイプを埋設したコンクリート層や発熱媒体を加熱するための加熱装置等を必要として装置が大がかりなるという問題点があった。また、温度制御は、発熱媒体の温度を検知しながら行う上、コンクリート層の蓄熱効果により、入力変化に対する温度の応答がきわめて遅くなるため、敷き詰められたセラミックボールや鉱石を最適な温度に保つことが困難であるという問題点もあった。さらに、加熱されたコンクリートからは六価クロームが放出されることが広く知られており、それが人体に悪影響を与えるという問題点もあった。
【０００７】
本発明は、そのような問題点に鑑み、簡単な構造で正確な温度制御ができる温石ベッドを提供することを目的とするものである。また、それに加えて、今まで用いられなかった特殊な鉱石を使ってより、人体に悪影響を与えることなく健康効果の高い温石ベッドを提供することを目的とするものである。
【課題を解決するための手段】
【０００８】
前記課題を解決するため、請求項１に記載の温石ベッドは、底面が平坦な凹部を有する金属製鉱石受をベッド架台上に設置し、該金属製鉱石受の底面裏側に当接させて平面状の電熱ヒータ設け、該金属製鉱石受と電熱ヒータの下側を覆うように断熱材を設け、前記金属製鉱石受の凹部に鉱石を充填したことを特徴とする。
【０００９】
また、請求項２に記載の温石ベッドは、前記鉱石として、愛知７０８号鉱山から産出された石英斑岩（７０８号鉱石）を用いたことを特徴とする。
【発明の効果】
【００１０】
本発明の温石ベッドは、次のような効果を奏する。
すなわち、請求項１に記載の温石ベッドは、底面が平坦な凹部を有する金属製鉱石受をベッド架台上に設置し、該金属製鉱石受の底面裏側に当接させて平面状の電熱ヒータ設け、該金属製鉱石受と電熱ヒータの下側を覆うように断熱材を設け、前記金属製鉱石受の凹部に鉱石を充填したので、構造が簡単であり、しかも平面状の電熱ヒータで直接金属製鉱石受を加熱するため、正確な温度制御ができる。また、電熱ヒータと人体との間に金属製鉱石受が配置されるため、電熱ヒータから電磁波が放射されても、金属製鉱石受により遮蔽できて、体内にペースメーカを埋め込んでいる人でも安全が確保される。
【００１１】
また、請求項２に記載の温石ベッドは、前記鉱石として、愛知７０８号鉱山から産出された石英斑岩（７０８号鉱石）を用いたので、鉱石から多量の遠赤外線が発生し、より健康効果の高い温石ベッドが得られる。
【発明を実施するための最良の形態】
【００１２】
以下、本発明の実施例を図面に基づいて詳細に説明する。
【実施例１】
【００１３】
図１は、本発明の温石ベッドの断面図である。図１において、１は金属製鉱石受、２は平面ヒータ、３は平面ヒータ２のヒータリード線、４は木製の断熱材、５はベッド架台、６は鉱石、７は洗浄水排出用の排水管、８はベッド脚、９は平面ヒータ２のオンオフ制御を行う制御ボックス、１０はマットである。
【００１４】
箱状のベッド架台５の底部に板状木材よりなる断熱材４を設ける。断熱材４は、図２にＡ−Ａ断面を示すように、上面縦方向に溝を設けてあり、それらの中に平面ヒータ２を収納するようにしている。平面ヒータ２は、図３（イ）に平面図を示し、図３（ロ）にそのＢ−Ｂ断面図を示すように、ニクロム線１２にテフロン(登録商標）被覆１３を設けた電熱線１１を平面上で長手方向に複数回折り返すように配置し、その外側を、弾性を有する熱伝導性シリコンゴム外層１４で覆って、全体を平面状に形成している。
【００１５】
平面ヒータ２は、図４に示すように、縦方向に２枚並べたものを３列配置し、それらを並列接続している。そして、それらは、図２に示すように、金属製鉱石受１の底面に圧接されるようにしている。その結果、平面ヒータ２が金属製鉱石受１に密着して、平面ヒータ２から金属製鉱石受１への熱伝導が良好になるようにしている。
【００１６】
個々の平面ヒータ２は、例えば、長さ７５ｃｍ，幅１０ｃｍ，厚さ０．５ｃｍで、消費電力１００ｗのものを用いることができ、そのような平面ヒータ２を２×３で６枚用いれば、合計で６００ｗの電力で加熱できる。この温石ベッドでは、平面ヒータ２の下側に板状木材よりなる断熱材４を配置しているため、下側に逃げる熱を最小限に抑えることができるため、６００ｗという小さな電力で省エネを図りながら、金属製鉱石受１及び鉱石６を十分に温めることができる。
【００１７】
そして、電源投入後、金属製鉱石受１及び鉱石６が所定の温度（例えば、７０℃）に達するまでの１時間位は、６００ｗでフル運転となるが、所定の温度に達した後は、電力のオンオフがくり返されることになるため、１時間当たりの消費電力量としては、半分の３００ｗｈ程度に抑えられる。
【００１８】
金属製鉱石受１は、例えば、ステンレス板で形成され、底面が平坦な凹部を有しており、その大きさは、横幅７０ｃｍ，長さ１８０ｃｍ，深さ７ｃｍ程度のものである。
【００１９】
そして、本発明では、金属製鉱石受１の中に充填する鉱石６として、愛知県北設楽郡にある、経済産業省により愛知７０８号鉱山として認定されている鉱山から産出される鉱石（以下、「７０８号鉱石」という）を用いる。この鉱石は、石英斑岩の一種であり、多孔質で、加温した場合に多量の遠赤外線を放射し、少量の水を散布して加熱すると蒸気を発生させながら多量のマイナスイオンを発生する性質を有している。
【００２０】
その鉱石を０．７〜２ｃｍ程度の大きさの小石状に砕いたものを、金属製鉱石受１の凹部に充填する。その量は、７５Ｋｇ程度になる。そして、充填した鉱石６の表面に薄いマット１０を敷き、平面ヒータ２で加熱する。平面ヒータ２の加熱制御は、図５に示すような制御回路で行う。
【００２１】
この制御回路は、交流１００Ｖ又は２００Ｖの商用電源１５から、漏電遮断器１６，半導体スイッチ１７を介して平面ヒータ２を接続する。半導体スイッチ１７は、サイリスタ，トランジスタ等の半導体スイッチング素子により電流をオンオフするもので、温度調節器１８，温度管理器１９によりオンオフ制御される。その温度調節器１８は、温度センサ２０で平面ヒータ２の温度を検知しながら、平面ヒータ２の温度が設定値、例えば、７０℃に維持されるようにオンオフ信号を出力する。そのオンオフ信号は、温度管理器１９経由で半導体スイッチ１７に与えられる。
【００２２】
温度管理器１９は、温度調節器１８から受けたオンオフ信号に基づいて半導体スイッチ１７をオンオフ制御するとともに、平面ヒータ２の上限温度を設定し、温度調節器１８又はそれに接続された温度センサ２０に異常が発生して、オフ信号が出力されなくなっても設定された上限温度、例えば、７５℃を超えないように制御して、ベッドの上に横たわっている人の安全を確保する。また、温度調節器１８は、タイマーを具えていて、スイッチ２１を押すことにより計時を開始し、予め設定された時間が経過したとき、ブザー２２を鳴らして知らせる。例えば、設定時間を２０分にした状態で、スイッチ２１を押し、ベッドに横たわっていると、２０分後にブザー２２が鳴って終了を知らせる。そのようにすれば、ベッドに横たわった後、気持ちよくなって眠ってしまっても、確実に時間経過を知らせることができ、長時間加温されることによる脱水症状の発生等を防止することができる。
【００２３】
このような温石ベッドにおいて、鉱石６として７０８号鉱石を用い、設定温度７０℃で加熱を継続した状態で、関節痛，筋肉痛，肩こり等の持病を持つ複数の被験者が３０分程度、温石ベッドに身体を横たえ、上に薄い布団状のカバーを掛けて効果を試したところ、使用後１〜２時間、身体のポカポカ感が続いた上、関節痛，筋肉痛，肩こり等の顕著な改善が見られた。また、鉱石６に４０ｃｃ程度の水を振りかけた上、乾燥肌を持つ人に対して同様な試験を行ったところ、鉱石６から蒸気が発生し、顕著なかゆみ解消効果がみられた。
【００２４】
７０８号鉱石の成分を分析したところ、図６に示すような分析データが得られた。また、遠赤外線、及び、マイナスイオンの放射量については、現在、精度の高い統一的な検出手段が開発されていないため、正確なデータを示すことはできないが、簡易的な手段で測定したところ、７０８号鉱石の遠赤外線、及び、マイナスイオンの放射量は、トルマリン鉱石の４〜５倍あることが認められた。７０８号鉱石を用いて上記のような高い効果が得られるのは、多量の遠赤外線，マイナスイオンによるものと推定される。
【図面の簡単な説明】
【００２５】
【図１】本発明の温石ベッドの断面図である。
【図２】図１のＡ−Ａ断面図である。
【図３】平面ヒータを示す図である。
【図４】平面ヒータ配置図である。
【図５】温石ベッドの温度制御ブロック図である。
【図６】７０８号鉱石の成分分析データを示す図である。
【符号の説明】
【００２６】
１…金属製鉱石受
２…平面ヒータ
３…ヒータリード線
４…断熱材
５…ベッド架台
６…鉱石
７…排水管
８…ベッド脚
９…制御ボックス
１０…マット
１１…電熱線
１２…ニクロム線
１３…テフロン被覆
１４…シリコンゴム外層
１５…商用電源
２０…温度センサ
２１…スイッチ
２２…ブザー
【図１】
2006296831.tif 000003
【図２】
2006296831.tif 000004
【図３】
2006296831.tif 000005
【図４】
2006296831.tif 000006
【図５】
2006296831.tif 000007
【図６】
2006296831.tif 000008